(57)【要約】【課題】ユーザが簡単な操作を行うだけで、迅速に売買注文を発行できるトレーディングシステムを提供する。【解決手段】複数の個別価格領域１１１ａを備え、各個別価格領域１１１ａには、指定された銘柄の株式の現在価格及びその周辺の価格のそれぞれが表示されている気配値表示領域１１１と、指定された銘柄の株式を、互いに異なる条件で売買するための売買条件を示した複数のウェル１３０を備えた売買条件選択領域と、を含む注文受付画面１００を、表示装置に表示させ、表示装置に注文受付画面１００が表示されているときに、気配値表示領域１１１から一の個別価格領域１１１ａの選択を受け付けるとともに、売買条件選択領域から一のウェル１３０の選択を受け付けると、選択された個別価格領域１１１ａの価格、及び選択されたウェル１３０に示す売買条件に基づいて、株式の売買注文を発行する。【選択図】  図２
2007172161.tif 000002
【特許請求の範囲】
【請求項１】
複数の個別価格領域を備え、各個別価格領域には、指定された銘柄の株式の現在価格及びその周辺の価格のそれぞれが表示されている価格選択領域と、前記銘柄の株式を、互いに異なる条件で売買するための売買条件を示した複数の売買条件領域を備えた売買条件選択領域と、を含む注文受付画面を、表示装置に表示させる表示手段と、
前記表示装置に前記注文受付画面が表示されているときに、前記価格選択領域から一の個別価格領域の選択を受け付けるとともに、前記売買条件選択領域から一の売買条件領域の選択を受け付ける選択手段と、
前記選択手段により選択された個別価格領域の価格、及び前記選択手段により選択された売買条件領域に示す売買条件に基づいて、前記銘柄の株式の売買注文を発行する発行手段と、を備えた株式の売買注文発行装置。
【請求項２】
前記注文受付画面には、成行注文のための成行領域がさらに含まれていて、
前記選択手段が、前記表示装置に前記注文受付画面が表示されているときに、前記成行領域の選択を受け付けるとともに、前記売買条件選択領域から一の売買条件領域の選択を受け付けると、
前記発行手段は、前記銘柄の株式について、前記選択手段により選択された売買条件領域に示す売買条件に基づく成行の売買注文を発行する、請求項１記載の売買注文発行装置。
【請求項３】
銘柄別の単元株数の情報を含む属性情報を記憶した属性記憶手段をさらに備え、
少なくとも一つの売買条件領域には、単元株数のｎ倍（ｎは自然数）の株式の売買を売買条件とすることが表示されていて、
前記単元株数のｎ倍の株式の売買を売買条件とすることが表示されている売買条件領域が選択されたとき、前記発行手段は、前記属性記憶手段を参照して前記銘柄の単元株数を特定し、売買注文に係る株数を確定した後、確定された株数の売買注文を発行することを特徴とする請求項１または２記載の売買注文発行装置。
【請求項４】
前記選択手段が、一の個別価格領域の仮選択を受け付けると、
前記単元株数のｎ倍の株式の売買を売買条件とすることが表示されている売買条件領域には、仮選択された個別価格領域の価格で、当該売買条件に従って売買したときの約定金額または約定金額に手数料を含む金額が表示されることを特徴とする請求項３記載の売買注文発行装置。
【請求項５】
銘柄別の単元株数の情報を含む属性情報を記憶した属性記憶手段と、
投資余力を記憶した投資余力記憶手段とをさらに備え、
少なくとも一つの売買条件領域には、前記投資余力で購入可能な最多株数の株式の購入を売買条件とすることが表示されていて、
前記選択手段が、一の個別価格領域の仮選択を受け付けると、
前記投資余力で購入可能な最多株数の株式の購入を売買条件とすることが表示されている売買条件領域には、前記投資余力、前記銘柄の単元株数、及び仮選択された個別価格領域の価格で定まる購入可能な最多株数、または当該最多株数を購入したときの約定金額ないし当該約定金額に手数料を含む金額が表示されることを特徴とする請求項１または２記載の売買注文発行装置。
【請求項６】
銘柄別の単元株数の情報を含む属性情報を記憶した属性記憶手段と、
前記銘柄の購入単価及び保有株数とを記憶した保有株情報記憶手段とをさらに備え、
少なくとも一つの売買条件領域には、所定額以上の利益となることを売買条件とすることが表示されていて、
前記選択手段が、一の個別価格領域の仮選択を受け付けると、
前記所定額以上の利益となることを売買条件とすることが表示されている売買条件領域には、前記銘柄の購入単価と、仮選択された個別価格領域の価格と、前記銘柄の単元株数とで定まる、前記所定額以上の利益を上げるために必要な売却株数が表示されることを特徴とする請求項１または２記載の売買注文発行装置。
【請求項７】
前記一の個別価格領域の選択及び前記一の売買条件領域の選択は、前記一の個別価格領域をドラッグし、前記一の売買条件領域へドロップすることで行われることを特徴とする請求項１〜６のいずれかに記載の売買注文発行装置。
【請求項８】
前記注文受付画面には、前記各個別価格領域に表示されている現在価格及びその周辺価格に対する売り気配株数と買い気配株数とを示す気配株数表示領域をさらに含み、
前記発行手段により売買注文が発行されると、前記気配株数表示領域は、前記発行した売買注文に係る未約定分の株数を示す表示態様で表示されることを特徴とする請求項１〜７のいずれかに記載の売買注文発行装置。
【請求項９】
銘柄別の株主優待情報を含む属性情報を記憶した属性記憶手段をさらに備え、
少なくとも一つの売買条件領域には、株主優待の内容を示す情報が表示されていて、
前記株主優待の内容を示す情報が表示されている売買条件領域が選択されたとき、前記発行手段は、前記属性記憶手段を参照して、前記表示されている株主優待のために必要な前記銘柄の株数を特定し、前記特定された株数の売り注文を発行することを特徴とする請求項１記載の売買注文発行装置。
【請求項１０】
複数の個別価格領域を備え、各個別価格領域には、指定された銘柄の株式の現在価格及びその周辺の価格のそれぞれが表示されている価格選択領域と、前記銘柄の株式を、互いに異なる条件で売買するための売買条件を示した複数の売買条件領域を備えた売買条件選択領域と、を含む注文受付画面を、表示装置に表示させるステップと、
前記表示装置に前記注文受付画面が表示されているときに、前記価格選択領域から一の個別価格領域の選択を受け付けるとともに、前記売買条件選択領域から一の売買条件領域の選択を受け付けるステップと、
前記選択された個別価格領域の価格、及び売買条件領域に示す売買条件に基づいて、前記銘柄の株式の売買注文を発行するステップと、により株式の売買注文を発行する方法。
【請求項１１】
コンピュータに実行されると、
複数の個別価格領域を備え、各個別価格領域には、指定された銘柄の株式の現在価格及びその周辺の価格のそれぞれが表示されている価格選択領域と、前記銘柄の株式を、互いに異なる条件で売買するための売買条件を示した複数の売買条件領域を備えた売買条件選択領域と、を含む注文受付画面を、表示装置に表示させるステップと、
前記表示装置に前記注文受付画面が表示されているときに、前記価格選択領域から一の個別価格領域の選択を受け付けるとともに、前記売買条件選択領域から一の売買条件領域の選択を受け付けるステップと、
前記選択された個別価格領域の価格、及び売買条件領域に示す売買条件に基づいて、前記銘柄の株式の売買注文を発行するステップと、により株式の売買注文を発行するコンピュータプログラム。
【発明の詳細な説明】
【技術分野】
【０００１】
本発明は、ユーザの操作に基づいて、取引所で取り引きされる株式の売買注文を発行する装置のための技術に関し、特に、ユーザの操作を簡潔にすることにより、迅速に注文発注を発注するための技術に関する。
【背景技術】
【０００２】
株取引を行う投資家（ユーザ）は、トレーディングシステムが提供する株価情報を参照しながら、ここぞと思うタイミングで売買注文を出す。近年、インターネットを通じた株取引が盛んになり、数多くの個人投資家自らが、例えば特許文献１などに示すような、トレーディングシステムを利用している。
【特許文献１】特開２００４−２８７８１９号公報
【発明の開示】
【発明が解決しようとする課題】
【０００３】
ここで、株式の売買は、一般に単元株数と呼ばれる所定数を単位として行われる。この単元株数は、一律同数となっているわけではなく、例えば、１株、１０株、１００株、１０００株などがあり、銘柄毎に、予め定められている。
【０００４】
従って、投資家がある銘柄の株式の売買注文を出すときは、その銘柄の属性情報を参照して、その銘柄の単元株数を事前に調べなければならない。このために、投資家が売買を行う意思決定をしてから、実際に売買注文が出されるまでにわずかな遅れが生じることが多く、その結果、ユーザが希望する株価での売買のタイミングを逸してしまうようなことがあった。
【０００５】
また、株価は一定の制限値幅の間でのみ変動し、かつ、株価の水準ごとに定められた刻み幅を以って変化するという特徴もある。
【０００６】
そこで、本発明の目的は、ユーザが簡単な操作を行うだけで、迅速に売買注文を発行できるようにすることである。
【課題を解決するための手段】
【０００７】
本発明の一実施態様に従う株式の売買注文発行装置は、複数の個別価格領域を備え、各個別価格領域には、指定された銘柄の株式の現在価格及びその周辺の価格のそれぞれが表示されている価格選択領域と、前記銘柄の株式を、互いに異なる条件で売買するための売買条件を示した複数の売買条件領域を備えた売買条件選択領域と、を含む注文受付画面を、表示装置に表示させる表示手段と、前記表示装置に前記注文受付画面が表示されているときに、前記価格選択領域から一の個別価格領域の選択を受け付けるとともに、前記売買条件選択領域から一の売買条件領域の選択を受け付ける選択手段と、前記選択手段により選択された個別価格領域の価格、及び前記選択手段により選択された売買条件領域に示す売買条件に基づいて、前記銘柄の株式の売買注文を発行する発行手段と、を備える。
【０００８】
好適な実施形態では、前記注文受付画面には、成行注文のための成行領域がさらに含まれていて、前記選択手段が、前記表示装置に前記注文受付画面が表示されているときに、前記成行領域の選択を受け付けるとともに、前記売買条件選択領域から一の売買条件領域の選択を受け付けると、前記発行手段は、前記銘柄の株式について、前記選択手段により選択された売買条件領域に示す売買条件に基づく成行の売買注文を発行するようにしてもよい。
【０００９】
好適な実施形態では、銘柄別の単元株数の情報を含む属性情報を記憶した属性記憶手段をさらに備えている。そして、少なくとも一つの売買条件領域には、単元株数のｎ倍（ｎは自然数）の株式の売買を売買条件とすることが表示されていて、前記単元株数のｎ倍の株式の売買を売買条件とすることが表示されている売買条件領域が選択されたとき、前記発行手段は、前記属性記憶手段を参照して前記銘柄の単元株数を特定し、売買注文に係る株数を確定した後、確定された株数の売買注文を発行するようにしてもよい。
【００１０】
好適な実施形態では、前記選択手段が、一の個別価格領域の仮選択を受け付けると、前記単元株数のｎ倍の株式の売買を売買条件とすることが表示されている売買条件領域には、仮選択された個別価格領域の価格で、当該売買条件に従って売買したときの約定金額または約定金額に手数料を含む金額が表示されるようにしてもよい。
【００１１】
好適な実施形態では、銘柄別の単元株数の情報を含む属性情報を記憶した属性記憶手段と、投資余力を記憶した投資余力記憶手段とをさらに備える。そして、少なくとも一つの売買条件領域には、前記投資余力で購入可能な最多株数の株式の購入を売買条件とすることが表示されていて、前記選択手段が、一の個別価格領域の仮選択を受け付けると、前記投資余力で購入可能な最多株数の株式の購入を売買条件とすることが表示されている売買条件領域には、前記投資余力、前記銘柄の単元株数、及び仮選択された個別価格領域の価格で定まる購入可能な最多株数、または当該最多株数を購入したときの約定金額ないし当該約定金額に手数料を含む金額が表示されるようにしてもよい。
【００１２】
好適な実施形態では、銘柄別の単元株数の情報を含む属性情報を記憶した属性記憶手段と、前記銘柄の購入単価及び保有株数とを記憶した保有株情報記憶手段とをさらに備える。そして、少なくとも一つの売買条件領域には、所定額以上の利益となることを売買条件とすることが表示されていて、前記選択手段が、一の個別価格領域の仮選択を受け付けると、前記所定額以上の利益となることを売買条件とすることが表示されている売買条件領域には、前記銘柄の購入単価と、仮選択された個別価格領域の価格と、前記銘柄の単元株数とで定まる、前記所定額以上の利益を上げるために必要な売却株数が表示されるようにしてもよい。
【００１３】
好適な実施形態では、前記一の個別価格領域の選択及び前記一の売買条件領域の選択は、前記一の個別価格領域をドラッグし、前記一の売買条件領域へドロップすることで行われるようにすることも可能である。
【００１４】
好適な実施形態では、前記注文受付画面には、前記各個別価格領域に表示されている現在価格及びその周辺価格に対する売り気配株数と買い気配株数とを示す気配株数表示領域をさらに含んでもよい。その場合、前記発行手段により売買注文が発行されると、前記気配株数表示領域は、前記発行した売買注文に係る未約定分の株数を示す表示態様で表示されてもよい。
【００１５】
好適な実施形態では、銘柄別の株主優待情報を含む属性情報を記憶した属性記憶手段をさらに備えていてもよい。そして、少なくとも一つの売買条件領域には、株主優待の内容を示す情報が表示されていて、前記株主優待の内容を示す情報が表示されている売買条件領域が選択されたとき、前記発行手段は、前記属性記憶手段を参照して、前記表示されている株主優待のために必要な前記銘柄の株数を特定し、前記特定された株数の売り注文を発行するようにしてもよい。
【発明を実施するための最良の形態】
【００１６】
以下、本発明の一実施形態に係る株式のトレーディングシステムについて、図面を参照して説明する。
【００１７】
図１は、本実施形態に係るトレーディングシステムの全体構成を示す図である。
【００１８】
本システムでは、トレーディングサーバ１と、複数のユーザ端末３とがインターネットなどのネットワーク９を介して接続されている。また、トレーディングサーバ１は、取引所システム５と接続されている。
【００１９】
トレーディングサーバ１は、例えば、汎用的なコンピュータシステムにより構成されている。そして、以下に説明するトレーディングサーバ１の個々の構成要素または機能は、例えば、コンピュータプログラムを実行することにより実現される。
【００２０】
各ユーザ端末３は、例えば、汎用のパーソナルコンピュータ、携帯電話機、ＰＤＡ（Personal Digital Assistant）または専用の端末装置などで実現可能であり、いずれの場合にも、表示装置とユーザの入力を受け付ける入力装置とを備える。
【００２１】
本実施形態では、トレーディングサーバ１は、例えば証券会社のシステムである。そして、予め証券会社に口座を有するユーザ（顧客）が、それぞれユーザ端末３からトレーディングサーバ１へアクセスして、株式の売買注文を出すことができる。
【００２２】
トレーディングサーバ１は、ネットワーク９を介してユーザ端末３とデータ送受信を行うネットワークインタフェース１１と、取引所システム５から取得した株価情報を記憶する株価情報記憶部１２と、銘柄別の属性情報を記憶した銘柄属性記憶部１３と、ユーザごとの株式の保有状況などを記憶したユーザ情報記憶部１４と、手数料テーブル１５と、ユーザ端末３に表示するために、売買注文画面等の所定のインタフェース画面を生成する表示画面生成部１６と、ユーザ端末３で表示されたインタフェース画面に対して、入力された入力操作を受け付ける入力受付部１７と、取引所システムに対して、株式の売買注文を発行する注文発行部１８とを備える。
【００２３】
株価情報記憶部１２には、銘柄別の現在株価の他、取引所システム５から現在株価とともに送られてくる、各銘柄の気配値に対する売り気配株数及び買い気配株数の情報も記憶されている。
【００２４】
銘柄属性記憶部１３に記憶されている銘柄属性情報には、例えば、各銘柄の単元株数が含まれている。
【００２５】
ユーザ情報記憶部１４には、例えば、ユーザ別に、現在の保有銘柄について、購入日、株数、及び購入単価などを含む。保有株式が複数回に分けて購入されているときは、購入単価として、それぞれの購入単価及び平均単価を含む。さらに、ユーザ情報記憶部１４には、ユーザ別の投資余力（金額）も記憶されている。
【００２６】
表示画面生成部１６は、後述する売買注文画面を生成する。表示画面生成部１６が生成した画面は、ネットワークインタフェース１１を介してユーザ端末３へ送信され、ユーザ端末３の表示装置に表示される。
【００２７】
さらに、表示画面生成部１６は、後述する売買注文画面を生成するために、株価情報記憶部１２から対象銘柄の株価情報、銘柄属性記憶部１３から対象銘柄の単元株数、ユーザ情報記憶部１４から対象ユーザのユーザ情報を、それぞれ取得しておく。さらに、表示画面生成部１６は、手数料テーブル１５を読み込む。そして、表示画面生成部１６は、入力受付部１７が受け付けた操作に基づいて、売買注文画面に表示される、後述する金額等の計算を行う。
【００２８】
入力受付部１７は、ユーザ端末３において、売買注文画面に対してユーザが入力装置を用いて行った操作を受け付ける。
【００２９】
注文発行部１８は、入力受付部１７が受け付けた入力操作に基づいて、売買注文を取引所システム５に対して発行する。そして、その売買注文が約定したときは、その注文に基づいてユーザ情報記憶部１４の保有銘柄の情報を更新する。
【００３０】
図２〜図５に、表示画面生成部１６が生成し、ユーザ端末３の表示装置に表示される売買注文画面１００の例を示す。以下、これらの図を参照して、売買注文画面１００の構成、及び売買注文画面１００が受け付けた操作に基づくトレーディングサーバ１の処理について説明する。
【００３１】
まず、図２を参照し、売買注文画面１００の基本構成について説明する。
【００３２】
売買注文画面１００は、いわゆる板画面と呼ばれる株価情報表示領域１１０と、売買注文領域１２０とを含む。
【００３３】
株価情報表示領域１１０には、現在株価及びその周辺の価格を含む気配値の表示領域１１１と、各気配値に対する売り気配株数の表示領域１１２と、買い気配株数の表示領域１１３と、成行注文のための成行表示領域１１４とを含む。株価情報表示領域１１０には、ユーザが指定した銘柄の株価情報が表示される。
【００３４】
気配値表示領域１１１は、個別の気配値（価格）を表示した個別価格領域１１１ａ（図中において、符号は１カ所のみ示す）を複数含む。
【００３５】
売り気配株数表示領域１１２は、売り気配株数の数量及びその数量を示すグラフを含む。買い気配株数表示領域１１３は、買い気配株数の数量及びその数量を示すグラフを含む。
【００３６】
株価情報表示領域１１０に表示される株価情報は、相場の変動に応じてほぼリアルタイムに更新される。
【００３７】
売買注文領域１２０は、ウェル１３０（１３０ａ〜１３０ｅ）と呼ばれる表示領域が複数表示されている。各ウェル１３０には、それぞれ異なる株式の売買条件が表示されている。
【００３８】
後述するように、一つの個別価格領域１１１ａと一つのウェル１３０とが選択されると、それらの組み合わせにより定まる売買条件の指し値注文が発行される。例えば、一つの個別価格領域１１１ａがドラッグされ、いずれかのウェル１３０にドロップされると、ドラッグされた個別価格領域１１１ａの価格で、ドロップされたウェル１３０の売買条件に従う指し値注文が発行される。このように、個別価格領域１１１ａ及びウェル１３０の選択は、ドラッグアンドドロップで行ってもよい。
【００３９】
また、成行表示領域１１４と一つのウェル１３０が選択されると、ウェル１３０に定める売買条件で、成行注文が発行される。この場合も同様に、成行表示領域１１４を、いずれかのウェル１３０にドラッグアンドドロップすることで、それぞれを選択するようにしてもよい。
【００４０】
これから分かるように、ウェル１３０とは、注文のタイプ以外の売買条件を定めるものである。つまり、いずれか一つのウェル１３０が選択されると、指し値注文とするか、あるいは成行注文とするか、以外の売買条件が定まる（後述する任意指定ウェルを除く）。さらに、指し値注文の場合には、指し値も定まる。
【００４１】
また、本実施形態では、売買注文領域１２０に買い注文用のウェル１３０を表示させるか、または売り注文用のウェル１３０を表示させるかの選択は、タグ１２１，１２２により行うことが可能となっている。つまり、売買注文領域１２０には、買い注文タグ１２１と、売り注文タグ１２２とがあり、ユーザは、いずれか一方を選択可能である。図２の例は、買い注文タグ１２１が選択されている。
【００４２】
なお、タグ１２１，１２２により売り注文用ウェルと買い注文用ウェルの表示を分けることなく、売り注文用ウェルと買い注文用ウェルを並べてもよい。
【００４３】
さらに、売買注文領域１２０には、プルダウンリスト１２３がある。このプルダウンリスト１２３で、ユーザの投資姿勢に応じたウェル１３０の表示パターンの選択が可能である。投資姿勢の分類には、例えば、慎重型（図２）、大口投資型（図３、図５）、利益確定型（図４）などがあり、それぞれに適した売買条件のウェル１３０が表示される。
【００４４】
ここで、図２に示す例では、売買注文領域１２０に、単元株ウェル１３０ａと、単元株数を別途指定する任意指定ウェル１３０ｂと、最大限ウェル１３０ｃとが表示されている。
【００４５】
同図に示すよう、単元株ウェル１３０ａの場合、売買株数を「○○株」といった実際の株数で表示するのではなく、「単元株」のｎ倍（ｎ単元）という取引条件が表示されている（ｎは自然数）。これは、銘柄により単元株数が異なり、売買する株数が単元株数の何倍であるかということがより重要な意味を持つからである。つまり、ユーザが投資を行うときには、株数の具体的な数値にはさほど意味がなく、むしろ、単元株数の何倍であるかということの方がより重要である。
【００４６】
また、最大限ウェル１３０ｃは、現在の投資余力で購入可能な最多株数で購入するという取引条件を示す「最大限」と表示されている。
【００４７】
ここで、表示画面生成部１６が、ユーザからの操作に応じてウェル１３０の表示態様を変化させるための処理について説明する。
【００４８】
ユーザにより、個別価格領域１１１ａが仮選択（ここでは、個別価格領域１１１ａがクリックされ、気配値表示領域１１１の中で選択された状態）されると、入力受付部１７がその操作を受け付ける。ここで表示画面生成部１６は、仮選択された領域１１１ａの価格で取引したときの金額を算出し、各単元株ウェル１３０ａに表示させる。このとき、表示金額は、約定金額でもよいし、約定金額に手数料を含む金額でもよい（以下の説明において、表示される金額についても同様）。また、表示画面生成部１６は、現在の投資余力の範囲で購入可能な最多株数を算出し、その株数だけ購入する際に必要な金額を、最大限ウェル１３０ｃに表示させる。
【００４９】
なお、ユーザにより仮選択される個別価格領域１１１ａが変われば、それに応じて単元株ウェル１３０ａ及び最大限ウェル１３０ｃに表示される金額も変更される。
【００５０】
次に、図２の売買注文画面１００に対する操作を受け付けて、買い注文を発行する処理について説明する。
（１）株数指定指し値注文
ユーザが個別価格領域１１１ａの一つをドラッグし、単元株ウェル１３０ａへドロップしたとき、入力受付部１７がその操作を受け付ける。そして、注文発行部１８は、上記ドラッグアンドドロップされた個別価格領域１１１ａ及び単元株ウェル１３０ａにより定まる売買条件に従った売買注文を発行する。つまり、注文発行部１８は、単元株ウェル１３０ａで指定されているｎ単元を現実の株数に変換し、対象銘柄について、個別価格領域１１１ａに示す価格で、その株数の指し値買い注文を発行する。なお、対象銘柄は、売買注文画面１００が表示された時点で特定されているので、以下の説明では特に言及しないことがある。
（２）最大限指し値注文
また、ユーザが個別価格領域１１１ａの一つをドラッグし、最大限ウェル１３０ｃへドロップしたとき、入力受付部１７がその操作を受け付ける。そして、注文発行部１８は、上記ドラッグアンドドロップされた個別価格領域１１１ａ及び最大限ウェル１３０ｃにより定まる売買条件に従った売買注文を発行する。つまり、注文発行部１８は、まず、現在の投資余力及び個別価格領域１１１ａに示す価格で、購入可能な最多株数を算出する。そして、注文発行部１８は、個別価格領域１１１ａに示す価格で、その最多株数の指し値買い注文を発行する。
（３）株数指定成行注文
ユーザが成行表示領域１１４をドラッグし、単元株ウェル１３０ａへドロップしたとき、入力受付部１７がその操作を受け付ける。そして、注文発行部１８は、成行表示領域１１４がドロップされた単元株ウェル１３０ａで指定されているｎ単元を現実の株数に変換し、その株数の成行買い注文を発行する。
（４）最大限成行注文
ユーザが成行表示領域１１４をドラッグし、単元株ウェル１３０ａへドロップしたとき、入力受付部１７がその操作を受け付ける。そして、注文発行部１８は、まず、現在の投資余力及び現在株価で、購入可能な最多株数を算出する。そして、注文発行部１８は、算出された最多株数の成行注文を発行する。
【００５１】
なお、任意指定ウェル１３０ｂに対して個別価格領域１１１ａまたは成行表示領域１１４がドラッグアンドドロップされたときは、その時点で株数または単元株数の何倍であるかを、ユーザに入力させる。
【００５２】
このように種々のウェル１３０を売買注文画面１００に表示させることにより、ユーザは、単元株数がいくつであるかを意識することなく、簡単な操作で直ちに売買注文の指示をすることができる。従って、本実施形態によれば、ユーザが売買の意思決定をした後、迅速に売買注文を発行可能となる。
【００５３】
図３以降に示す売買注文画面１００の他の例でも、上述した売買注文画面１００と同様の構成及び機能を備えているので、重複する説明は省略する場合がある。そして、主に各画面に固有の機能について説明する。
【００５４】
図３は、買い注文タグ１２１が選択され、かつプルダウンリスト１２３で大口投資型が選択されたときの売買注文画面１００の例である。
【００５５】
同図に示すように、成行表示領域１１４がドラッグされ、いずれかのウェル１３０の上に移動させられると、入力受付部１７がこの操作入力を受け付ける。そして、そのウェル１３０及び成行表示領域１１４のいずれもが仮選択の状態になる。このとき、表示画面生成部１６は、売り気配株数表示領域１１２のグラフの表示態様を以下のように変更する。すなわち、仮選択された１３０に示す株数に対応する売り気配株のグラフの表示態様を変更する。つまり、表示画面生成部１６は、その買い注文の株数に対応する売り気配株のグラフ１１２ａを、通常とは別の色で表示させる。
【００５６】
このとき、成行表示領域１１４がドラッグされた状態で、他のウェル１３０上へ移動させられたことを入力受付部１７がさらに受け付けると、表示画面生成部１６は、移動先のウェル１３０に表示された株数に応じて、グラフの色が変化する領域も変動させる。
【００５７】
これにより、ユーザは、それぞれの注文を行ったとした場合に、その後の株価を予測することができる。
【００５８】
さらに、いずれかのウェル１３０にドラッグした成行表示領域１１４が、そのままドロップされると、入力受付部１７がそれを受け付け、注文発行部１８により、そのドラッグアンドドロップに従った売り注文が発行される。このとき、その売り注文に係る株数のうち、約定していない株数だけ、上記と同様に買い気配株数のグラフの色を変えて表示してもよい。この場合、約定するに連れて、売り気配株数表示領域１１２の表示も変化する。
【００５９】
図４は、売り注文タグ１２２が選択され、かつ、プルダウンリスト１２３で利益確定型が選択されたときの売買注文画面１００の例である。
【００６０】
単元株ウェル１３０ａ及び任意指定ウェル１３０ｂに対して、個別価格領域１１１ａまたは成行表示領域１１４がドラッグアンドドロップされたときの処理は、図２で説明した買い注文の場合と同様であるので、説明を省略する。
【００６１】
利益確定型のウェル１３０には、利益額が確定されている利益確定ウェル１３０ｄ、及び保有株式をすべて売却する手じまいウェル１３０ｅがある。利益確定ウェル１３０ｄは、表示されている所定の利益額以上の利益が上がるように、保有株式を売却することを売買条件とする。手じまいウェル１３０ｅは、現在保有しているすべての株を売却することを売買条件とする。
【００６２】
さらに、売り注文タグ１２２が選択された場合には、表示画面生成部１６が、現在の平均購入単価に基づく損益分岐点を算出し、損益分岐ライン１１５を表示してもよい。
【００６３】
ここで、表示画面生成部１６が、ユーザからの操作に応じてウェル１３０の表示態様を変化させるための処理について説明する。
【００６４】
図２に説明した場合と同様に、ユーザにより、個別価格領域１１１ａが仮選択されると、表示画面生成部１６が、仮選択された個別価格領域１１１ａで表示されている価格で売却したときに、各利益確定ウェル１３０ｄで定めた利益額以上の利益を上げるために必要な単元数を算出し、各利益確定ウェル１３０ｄに表示させる。また、表示画面生成部１６は、仮選択された個別価格領域１１１ａで表示されている価格で現在保有しているすべての株を売却したときの利益額を算出し、手じまい型ウェル１３０ｅに表示させる。
【００６５】
次に、図４の売買注文画面１００に対する操作を受け付けて、売り注文を発行する処理について説明する。
（５）利益額確定指し値注文
ユーザが個別価格領域１１１ａの一つをドラッグし、利益確定ウェル１３０ｄへドロップしたとき、入力受付部１７がその操作を受け付ける。そして、注文発行部１８は、上記ドラッグアンドドロップされた個別価格領域１１１ａ及び利益確定ウェル１３０ｄにより定まる売買条件に従った売買注文を発行する。つまり、注文発行部１８は、個別価格領域１１１ａに示す価格で売却したときに、利益確定ウェル１３０ｄで指定されている利益額以上の利益を上げるために必要な売却株数を算出する。そして、個別価格領域１１１ａに示す価格で、その株数の指し値売り注文を発行する。
（６）手じまい指し値注文
ユーザが個別価格領域１１１ａの一つをドラッグし、手じまいウェル１３０ｅへドロップしたとき、入力受付部１７がその操作を受け付ける。そして、注文発行部１８は、上記ドラッグアンドドロップされた個別価格領域１１１ａ及び手じまいウェル１３０ｅにより定まる売買条件に従った売買注文を発行する。つまり、注文発行部１８は、個別価格領域１１１ａに示す価格で、現在保有している全株の指し値売り注文を発行する。
（７）株数指定成行注文
ユーザが成行表示領域１１４をドラッグし、利益確定ウェル１３０ｄへドロップしたとき、入力受付部１７がその操作を受け付ける。そして、注文発行部１８は、成行表示領域１１４がドロップされた利益確定ウェル１３０ｄで指定されている利益額以上の利益を上げるために必要な売却株数を算出する。そして、その株数の成行売り注文を発行する。
（８）手じまい成行注文
ユーザが成行表示領域１１４をドラッグし、手じまいウェル１３０ｅへドロップしたとき、入力受付部１７がその操作を受け付ける。そして、注文発行部１８は、現在保有している全株の成行注文を発行する。
【００６６】
このように種々のウェル１３０を売買注文画面１００に表示させることにより、ユーザは、単元株数がいくつであるかを意識することなく、簡単な操作で、所望の利益額を上げるための売買注文の指示をすることができる。従って、本実施形態によれば、ユーザが売買の意思決定をした後、利益額の計算などを行わなくても、所望の売買注文を迅速に発行可能となる。
【００６７】
図5は、売り注文タグ１２２が選択され、かつ、プルダウンリスト１２３で大型投資型が選択されたときの売買注文画面１００の例である。
【００６８】
この場合も、図３に示す買い注文タグ１２１が選択されたときと同様に、ドラッグした成行表示領域１１４をウェル１３０上に持ってくると、それぞれのウェル１３０に示す株数に応じて、買い気配株数表示領域１１３の買い気配株数のグラフの表示態様が変わる。
【００６９】
さらには、図３の場合と同様に、ドラッグした成行表示領域１１４をいずれかのウェル１３０上にドロップし、買い注文が発行されたときに、買い気配株数表示領域１１３のグラフの未約定分の株数に対応する部分の色を変えて表示するようにしてもよい。
【００７０】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００７１】
例えば、上記の実施形態では、トレーディングサーバ１が、売買注文画面１００を表示させるための表示画面生成部１６及び入力受付部１７を備えているが、これらの構成は、各ユーザ端末３が備えていてもよい。
【００７２】
さらに、上述したウェルは例示に過ぎない。つまり、ウェルは上述したもの以外であっても、種々定めることができる。
【００７３】
例えば、図６に示すように、所定の株主優待の内容を示す情報が表示されたウェルを並べてもよい。このとき、銘柄属性記憶部１３には、それぞれの株主優待のために必要な株数などを含む株主優待情報も格納されている。そして、株主優待情報が表示されたウェルが選択されたときは、銘柄属性記憶部１３を参照してその株主優待のために必要な株数を特定し、その株数の買い注文が発行される。
【図面の簡単な説明】
【００７４】
【図１】本発明の一実施形態係るトレーディングシステムの全体構成を示す。
【図２】売買注文画面１００の一例を示す。
【図３】売買注文画面１００の一例を示す。
【図４】売買注文画面１００の一例を示す。
【図５】売買注文画面１００の一例を示す。
【図６】売買注文画面１００の一例を示す。
【符号の説明】
【００７５】
１…トレーディングサーバ、３…ユーザ端末、５…取引所システム、９…ネットワーク、１２…株価情報記憶部、１３…銘柄属性記憶部、１４…ユーザ情報記憶部、１５…手数料テーブル、１６…表示画面生成部、１７…入力受付部、１８…注文発行部、１００…売買注文画面、１１０…株価情報表示領域、１１１…気配値表示領域、１１２…気配株数表示領域、１１３…気配株数表示領域、１２０…売買注文領域、１３０…ウェル。
【図１】
2007172161.tif 000003
【図２】
2007172161.tif 000004
【図３】
2007172161.tif 000005
【図４】
2007172161.tif 000006
【図５】
2007172161.tif 000007
【図６】
2007172161.tif 000008